(57)【特許請求の範囲】
【請求項１】
脚支柱の上端に設けた支持ベースと、前記支持ベースに後傾自在に取付けた揺動フレームと、前記揺動フレームに取付けた背もたれと、前記揺動フレームの後傾動に連動して少なくとも後退動するように支持ベースに取り付けた上金具と、揺動フレームの後傾動を弾性的に支持するばね手段と、少なくとも前記上金具で支持された座体とを備えており、
前記揺動フレームと座体と上金具とが、揺動フレームが後傾動すると座体が上金具よりも大きく後退動し得るように連動している、
ロッキング椅子。
【請求項２】
前記座体は、前部座体と後部座体とを屈曲可能に連結した構造になっており、後部座体は、前部座体よりも大きく後傾動するように揺動フレームに取付けられている一方、前部座体は、前記上金具に前後相対動可能で且つ上向き離脱不能に取付けられており、後部座体又は揺動フレームと前部座体とに、後部座体又は揺動フレームが前部座体よりも大きく後傾動することによって前部座体を相対的に後退動させる後退加速手段を設けている、
請求項１に記載したロッキング椅子。
【請求項３】
前記座体と後部座体との境が着座した人の座骨の後ろ側に位置している、
請求項２に記載したロッキング椅子。
【発明の詳細な説明】
【０００１】
【発明の属する技術分野】
本発明は、シンクロタイプのロッキング椅子に関するものである。
【０００２】
【従来の技術】
近年、背もたれの後傾動に連動して座体が後退動（及び後傾動）するシンクロタイプのロッキング椅子が多く提案されている。
【０００３】
例えば、特公平７−１６４５８号公報には、脚の上端に固着した機枠にて座体を直接に支持した場合において、座体を、前部座席と後部座席とを屈曲自在に接続した構造として、背もたれが後傾動すると座体の前部は後傾動せずに後退動し、座体の後部は背もたれに連動して後傾動及び後傾動するようにした構成が記載されている。
【０００４】
また、特公平８−１５４４８号公報には、座体を側面視で屈曲可能な構造として、座体の前部を、機枠の前部に設けたガイド部材に前後スライド自在に取付けることにより、背もたれの後傾動によって座体を後退させる構成が記載されている。
【０００５】
【発明が解決しようとする課題】
ところで、着座した人が背もたれにもたれ掛かると、背もたれと座体との相対距離が大きくなることにより、人の背が背もたれと相対動する背ずれの現象が発生し、人に違和感を与えたり、シャツが上向きに引っ張られるシャツ捲れ現象が生じたりすることがある。
【０００６】
この背ずれ又はシャツ捲れの現象を防止又は抑制するには、背もたれと座体との相対距離をなるべく変化させない状態でロッキングさせることが必要である。しかるに、前記両公報とも、座体は全体として背もたれに連動して後退動及び後傾動するに過ぎないため、背ずれ又はシャツ捲れの現象を抑制するのに限界があった。
【０００７】
また、前記両公報とも、座体は軸やガイド部で狭い面積で支持されるに過ぎないため、座体の安定性が悪くなる虞があった。
【０００８】
本発明は、これらの問題を解消することを目的とするものである。
【０００９】
【課題を解決するための手段】
請求項１の発明に係るロッキング椅子は、脚支柱の上端に設けた支持ベースと、前記支持ベースに後傾自在に取付けた揺動フレームと、前記揺動フレームに取付けた背もたれと、前記揺動フレームの後傾動に連動して少なくとも後退動するように支持ベースに取り付けた上金具と、揺動フレームの後傾動を弾性的に支持するばね手段と、少なくとも前記上金具で支持された座体とを備えており、前記揺動フレームと座体と上金具とが、揺動フレームが後傾動すると座体が上金具よりも大きく後退動し得るように連動している。
【００１０】
また、請求項２の発明は請求項１をより具体化したもので、この請求項２では、前記座体は、前部座体と後部座体とを屈曲可能に連結した構造になっており、後部座体は、前部座体よりも大きく後傾動するように揺動フレームに取付けられている一方、前部座体は、前記上金具に前後相対動可能で且つ上向き離脱不能に取付けられており、後部座体又は揺動フレームと前部座体とに、後部座体又は揺動フレームが前部座体よりも大きく後傾動することによって前部座体を相対的に後退動させる後退加速手段を設けている。
【００１１】
【発明の作用・効果】
本発明によると、座体は上金具を介して支持されるため、座体を安定した状態で支持することができ、また、上金具も後退動するため、座体の後退動がスムースである。更に、座体は上金具よりも大きく後退するため、ロッキング時の背ずれ又はシャツ捲れの現象を防止又は著しく抑制することができる。
【００１２】
請求項２のように構成すると、前部座体の後傾角度は小さいため、大腿部が座体の前部で突き上げられる現象を防止して、快適なロッキング状態を提供することができる。特に、請求項３のように構成すると、人の体圧の大部分は前部座体で支持されているため、着座した人が前後座体の屈曲に伴って圧迫感又は違和感を感じることはなく、このため、より快適なロッキング状態を提供することができる。
【００１３】
【発明の実施形態】
次に、本発明の実施形態を図面に基づいて説明する。
【００１４】
(1).第１実施形態（図１〜図７）
図１は椅子の右側面図、図２及び図３は縦断右側面図、図４及び図５は分離斜視図であり、まず、これらの図に基づいて基本構造を説明する。
【００１５】
≪基本構造≫
椅子は、ガスシリンダ等の脚支柱１を備えた脚２と、脚支柱１の上端に固定した上向き開口の支持ベース３と、支持ベース３に上方から被さる上金具４と、上金具４の後方に配置した揺動フレーム５と、上金具４及び揺動フレーム５で支持した座体６と、揺動フレーム５に取り付けた背部７とを備えている。
【００１６】
支持ベース３の開口縁にブラケット３ｂを形成している。脚支柱１は脚カバー８で覆われており、支持ベース３は上向きに開口したベースカバー９で下方から覆われている（ベースカバー９については後述する）。
【００１７】
支持ベース３の底面には第１ブラケット１０を固着しており、この第１ブラケット１０と支持ベース３とに固定したブッシュ１１に脚支柱１の上端を嵌着している。また、支持ベース３における左右両側板３ａの前部には前後長手の長穴１２が空いており、この長穴１２と上金具４の側板４ａとに第１ピン１３を挿入している。
【００１８】
支持ベース３の下面には正面視下向き開口コ字状の第２ブラケット１４を溶接等によって固着している一方、揺動フレーム５は、第２ブラケット１４の外側に位置する側板５ａを備えており、揺動フレーム５の前端部を、支持ベース３の側板３ａに貫通した第２ピン１５によって第２ブラケット１４に取付けている。
【００１９】
また、揺動フレーム５と上金具４とは第３ピン１６によって連結されている。例えば図４に示すように、揺動フレーム５には、左右方向に広がる翼状の受け板１７を固着している。受け板１７における傾斜部の外面には、肘掛け装置の支柱（図示せず）をねじで固定するようになっている。
【００２０】
図１〜図３に示すように、支持ベース３の後部には、揺動フレーム５を貫通した下向きのロッド１８が回転不能に取付けられており、このロッド１８の先端部に設けたばね受け１９で、弾性手段の一例としてのコイルばね２０を支持しており、コイルばね２０で揺動フレーム５を受けている。コイルばね２０はホルダー２１に嵌まっている。
【００２１】
図３に示すように、ホルダー２１と揺動フレーム５との間には、揺動フレーム５が後傾動するに際してロッド１８に摩擦抵抗を付与する摩擦部材２２を介在させている。
【００２２】
背部７は、着座した人の腰を包むように平面視で前向き凹状に形成された腰部アウター部材２３と、この腰部アウター部材２３に取付けた背もたれ２４とから成っている。腰部アウター部材２３は、揺動フレーム５の受け板１７にねじで固定されている。
【００２３】
図２に示すように、背もたれ２４は、アウターシェル（外カバー）２５と、その手前に配置したインナーシェル（芯板）２６と、その前面に張ったクッション２７とから成っている。背もたれ２４のインナーシェル２６はアウターシェル２５及び腰部アウター部材２３に対して、係合爪と係合穴とからなる係合手段によって取付けている。
【００２４】
≪座体の取付け構造≫
図３に示すように、座体６は、ポリプロピレン等の合成樹脂からなるインナーシェル（芯板）２８と、その上面に張ったクッション２９とからなっており、インナーシェル２８は、前部インナーシェル３０と後部インナーシェル３１とに分割されている。
【００２５】
以下、図６以下の図も参照して座体６について説明する。図６はインナーシェル２８を分離した状態の平面図、図７（Ａ）は前部インナーシェル３０を裏返した状態での斜視図、図７（Ｂ）は前部インナーシェル３０と第３軸１６との関係を示す図で、（Ａ）をＢ−Ｂ視方向から見た図、図は座部の正面図、図９は図８のIX−IX視断面図、図１０は前後インナーシェル３０，３１を連結した状態での部分平面図、図１１は図１０のXI−XI視断面図である。
【００２６】
前後インナーシェル３０，３１とも、人の身体（臀部）にフィットするように正面視で上向き凹状に形成されている。また、図６や図１０に示すように、前部インナーシェル３０の後面は平面視で後ろ向き凸状に形成されている一方、後部インナーシェル３１の前面は平面視で前向き凹状に形成されている。
【００２７】
そして、図３や図１１に示すように、前部インナーシェル３０の後部のうち高さの高い左右両端部に下向き鉤状の連結用係止爪３２を設ける一方、後部インナーシェル３１の後部のうち高さの高い左右両端部には、前記連結用係止爪３２が上方から嵌まる受け部３３を形成している。これら連結用係止爪３２と受け部３３とが、請求項に記載した後退加速手段を構成している。
【００２８】
図２や図１０に示すように、前後インナーシェル３０，３１を連結した状態では、両者の間のスリット状の隙間３５が空いている。
【００２９】
図３，図６，図１０に示すように、後部インナーシェル３１の後端には、受け板１７の後端部に引っ掛かる第１係合爪３５を形成している。また、後部インナーシェル３１の後端のうち第１係合爪３５を挟んだ両側には上向きの第２係合爪３６を形成しており、この第２係合爪３６を、腰アウター部材２３に形成した係止リブ３７を係合させている。第２係合爪３６の左右両側にはスリット３８が形成されており、このため、第２係合爪３６を容易に係脱させることができる。
【００３０】
図３、図７〜図９に示すように、前部インナーシェル３０の前部には、揺動フレーム５の上面に当たる当接部（スライダー）４０と、中間金具４の前端部に前方から嵌合する係止爪４１とを形成している。
【００３１】
係止爪４１の箇所には、上向きの鉤部４２が形成されている。これは、図３に一点鎖線で部分的に示すように、座用カバー（座用アウターシェル）４３を取付けるためのものである。図では省略しているが、座用カバー４３は、インナーシェル３０の略前半分程度の周囲を囲うように平面視で後ろ向きコ字状に形成されている。
【００３２】
また、前部インナーシェル３０の下面には、上金具４の外側面に密接した状態で前後方向に延びる縦リブ４４を形成している。縦リブ４４も補強の役割を果たしている。前部インナーシェル３０の下面には、更に縦横に延びる多数本の補強リブ４５を形成している。（後部インナーシェル３１の下面にも補強リブが形成されているが、この点は省略している）。
【００３３】
図７に示すように、前部インナーシェル３０における左右縦リブ４４の後端には、左右内側と後方とに開口した袋状部４６が形成されている。他方、第３軸１６の左右両端には、側面視小判型で合成樹脂製のブッシュ４７が被嵌しており、このブッシュ４７を袋状部４６に嵌め込んでいる。
【００３４】
このブッシュ４７と袋状部４６との嵌まり合いにより、前部インナーシェル３０が上向き離脱不能に保持されると共に、前部インナーシェル３０の後部を第３軸１６で支持することにより、前後インナーシェル３０，３１の連結用係止爪３２及び受け部３３に過大な荷重がかかることを防止している。
【００３５】
この場合、前部インナーシェル３０の袋状部４６とブッシュ４７は面接触するため、ブッシュ４７の摩耗を防止することができ、かつ、前部インナーシェル３０をブッシュ４７に対してスムースに滑り移動させることができる。
【００３６】
図３や図９に示すように、座体６が前進し切った状態では、上金具４の前端面と係止爪４１との間にはある程度の隙間が空いている。座体６の取付けは、前部インナーシェル３０の係止爪４１を上金具４に前方から嵌め込んでから、後部インナーシェル３１の両係合爪３５，３６を弾性に抗して受け板１７の後端と係止リブ３７とに押し込み係合させるという、ワンタッチ的な作業で行える。
【００３７】
≪動きの説明≫
以上の構成において、着座した人が背もたれ２２にもたれ掛かると、背もたれ２４及び腰部アウター部材２３は一体になって後傾すると共に、座体６は後傾しつつ後退する。
【００３８】
この場合、揺動フレーム５の後傾角度よりも上金具４の後傾角度が小さいため、後部インナーシェル３１の後傾度合いは前部インナーシェル３０の後傾度合いよりも大きい。すなわち、前後インナーシェル３０，３１は、その相対的な角度を変えながら後退しつつ後傾する。
【００３９】
そして、図１１に模式的に示すように、前後インナーシェル３０，３１の連結箇所（連結用係止爪３２と受け部３３との嵌合部）は高さが高いため、後部インナーシェル３１がある角度θだけ後傾すると、後部インナーシェル３１の受け部３３はある距離Ｌだけ回動方向に移動することになり、このため、前部インナーシェル３０は後方に引っ張られる。
【００４０】
すなわち、前後インナーシェル３０，３１が相対的に屈曲することにより、前部インナーシェル３０は後部インナーシェル３１よりも多く後退動するのであり、その結果、シャツめくれ現象を防止又は著しく改善できる。
【００４１】
また、上金具４の前端と係止爪４１との間に間隔が空いていることと、両インナーシェル３０，３１の間に隙間３４が空いていることとにより、前部インナーシェル３０が後部インナーシェル３１に対して相対的に後退動することが許容される。
【００４２】
なお、前部インナーシェル３０に設けた補強用の縦リブ４４で上金具４が左右から挟まれているため、椅子の使用に際して座体６が左右にぶれることはなく、このため、使用者は椅子を快適に使用することができる。
【００４３】
前部インナーシェル３０が後傾し切ると、その後部が腰用アウター部材２３における平坦部２３ａ（図５参照）で支持されるように設定している。このため、後部インナーシェル３２に過大な荷重がかかることはない。
【００４４】
インナーシェル３０，３１を上向き凹状に形成していない場合は、後退加速手段としては、前部インナーシェル３０における後部の左右両端部と、後部インナーシェル３１における前部の左右両端部とに上向きの突起を設け、これらの突起をピン等で連結しても良い。
【００４５】
≪ベースカバー９の取付け構造≫
次に、主として図１２〜図１５に基づいて、ベースカバー９について説明する。図１２は分離斜視図、図１３は一部破断平面図、図１４は図１３のＸIV−ＸIV視断面図、図１５のうち (A)は図１４のXV−XV視断面図、 (B)は (A)の B-B視断面図である。
【００４６】
例えば図１２に示すように、ベースカバー９の底板には、脚支柱１及び脚カバー８が貫通する逃がし穴４９が空いている。また、左右の側板９ａには、操作レバー５０との干渉を防止するため、上向き開口の逃がし溝５１を形成している。逃がし溝５１を使用しない場合はキャップで塞いでおくとよい。
【００４７】
図１５に示すように、ベースカバー９の先端部には、支持ベース３のフランジに上方から当たる係止爪５２を形成している。ベースカバー９は後方に開口しており、後端を平面視で円弧状に形成している一方、前記した腰部アウター部材２３の先端部は、ベースカバー９の後端面に対応して平面視前向き開口の円弧状に形成されている。
【００４８】
例えば図１４、図１５に示すように、前記第２ピン１５は揺動フレーム５の左右外側に露出している一方、ベースカバー９の内部には、第２ピン１５の外向き露出部に下方から弾性に抗して嵌合する左右一対の挟持部５３を一体に形成している。この場合、左右の挟持部５３で揺動フレーム５を左右両側から挟むことにより、ベースカバー９の左右位置を規制している。
【００４９】
また、図１５に示すように、ベースカバー９の底面に、ガタ付き防止のため、支持ベース３の下面に当たる突起５４を設けている。更に、図１９に示すように、ベースカバー９には、支持ベース２の外側面と上金具４の内側面との間に挟まるスペーサ部５５を形成しており、これにより、上金具４は左右位置が規制された横揺れ不能に保持される。
【００５０】
≪ロック手段≫
図１６〜図１８では、背もたれ２４及び座体６を任意の後傾角度に保持するロック手段の一例を示している。図１６は要部の平面図、図１７はロック解除状態での図１６のXVII−XVII視断面図、図１８はロック状態での断面図である。
【００５１】
ロック手段５６は、正面視下向き開口コ字状のケース５７と、ケース５７に貫通した横長のロッド５８と、ロッド５８と第１軸１３とに被嵌したロック板５９と、隣合ったロック板５９の間に挟まった摩擦ワッシャー６０と、その両側に配置した第１及び第２のカラー６１，６２とを備えている。ロック板５９は第１軸１３に対しては前後動不能に被嵌しており、ロッド５８に対しては前後相対動可能に被嵌している。
【００５２】
ロッド５８はケース５７の両側に突出しており、その一方の突出部にカム６３をピン６４で取付け、カム６４に操作レバー６５を一体に取付けてる。支持ベース３の側板３ａには、操作レバー６５の上下回動を許容するための長穴６６が空いている。また、ロッド５８はカム６３と反対方向にばね６７で付勢されている。
【００５３】
図１７のように操作レバー６５を下向きに回動させた状態では、左右のカラー６１，６２が離反しているため、ロック板５９は第１軸１３と共に自在に前後することができ、このため、背もたれ２４は自在に回動させることができる。
【００５４】
他方、背もたれ２４を任意の姿勢にした状態で操作レバー６５を上向きに回動させると、図１８に示すように、ロッド５８が引かれて、ばね６７により、左右のカラー６０，６１でロック板５９及び摩擦ワッシャー６０が挟み付けられる。このため、ロック板５９は前後動不能となり、その結果、第１軸１３が前後動不能に保持されて、背もたれ２４は所望の姿勢にロックされる。
【００５５】
≪その他≫
本発明は、上記の実施形態の他にも様々に具体化できる。
【図面の簡単な説明】
【図１】第１実施形態に係る椅子の右側面図である。
【図２】縦断右側面図である。
【図３】縦断側面図である。
【図４】分離斜視図である。
【図５】分離斜視図である。
【図６】座体におけるインナーシェルの分離平面図である。
【図７】座体における前部インナーシェルの裏返した状態での斜視図、 (B)は (A)を B-B方向から見た状態での第３軸との関係を示す図である。
【図８】座部の部分正面図である。
【図９】図８のIX−IX視断面図である。
【図１０】座部におけるインナーシェルの部分平面図である。
【図１１】図１０のXI−XI視断面図である。
【図１２】ベースカバーを説明するための分離斜視図である。
【図１３】ベースカバーを説明するための平面図である。
【図１４】図１３のＸIV−ＸIV視断面図である。
【図１５】 (A)は図１４のXV−XV視断面図、 (B)は (A)の B-B視断面図である。
【図１６】ロック手段の一例を示す平面図である。
【図１７】図１６のXVII−XVII視断面図である。
【図１８】ロック状態での図１７と同様の断面図である。
【符号の説明】
１  脚支柱
３  支持ベース
４  上金具
５  揺動フレーム
６  座体
１３  第１軸
１５  第２軸
１６  第３軸
２８  座体のインナーシェル
３０  前部インナーシェル
３１  後部インナーシェル
３２  連結用係止付け
３３  連結用受け部
４１  係止爪
４６  袋状部
４７  ブッシュ
【図１】
0003654581.tif 000002
【図２】
0003654581.tif 000003
【図３】
0003654581.tif 000004
【図４】
0003654581.tif 000005
【図５】
0003654581.tif 000006
【図６】
0003654581.tif 000007
【図７】
0003654581.tif 000008
【図８】
0003654581.tif 000009
【図９】
0003654581.tif 000010
【図１０】
0003654581.tif 000011
【図１１】
0003654581.tif 000012
【図１２】
0003654581.tif 000013
【図１３】
0003654581.tif 000014
【図１４】
0003654581.tif 000015
【図１５】
0003654581.tif 000016
【図１６】
0003654581.tif 000017
【図１７】
0003654581.tif 000018
【図１８】
0003654581.tif 000019